Podtech/llm-jp-corpus-v4-ja_patent huggingface dataset:
【手続補正書】
【提出日】平成19年5月9日(2007.5.9)
【手続補正１】
【補正対象書類名】特許請求の範囲
【補正対象項目名】全文
【補正方法】変更
【補正の内容】
【特許請求の範囲】
【請求項１】
光スポットを案内するための制御情報を記録した制御領域が情報トラックに沿って３次元的に所定間隔で複数配置された３次元光ディスクに情報を記録するための３次元情報記録方法であって、
前記制御情報を第１波長のトラッキング用光スポットで再生し、当該再生情報を用いて前記トラッキング用光スポットを情報トラックに対して位置決めするステップと、
前記トラッキング用光スポットに対する相対位置関係が可変な第２波長の記録用光スポットにより、前記情報トラックに沿って隣接する２つの制御領域の間の情報記録領域に設定された３次元格子の格子点にマークを記録することによって３次元的に情報を記録するステップと
を有することを特徴とする３次元情報記録方法。
【請求項２】
請求項１記載の３次元情報記録方法において、前記記録用光スポットは１つの光スポットからなり、前記１つの光スポットを記録情報に従ってオン・オフしながら前記３次元格子の格子点上を走査することによって前記マークを記録することを特徴とする３次元情報記録方法。
【請求項３】
請求項１記載の３次元情報記録方法において、前記記録用光スポットは相対的な位置関係が固定された複数の光スポットからなり、前記複数の光スポットを記録情報に従ってオン・オフしながら前記３次元格子の格子点上を走査することによって前記マークを記録することを特徴とする３次元情報記録方法。
【請求項４】
請求項１記載の３次元情報記録方法において、前記制御領域は前記３次元光ディスクの回転円周上に略等間隔に配置され、またディスク厚さ方向にも等間隔に配置されていることを特徴とする３次元情報記録方法。
【請求項５】
請求項１記載の３次元情報記録方法において、前記制御領域は少なくとも一つのマークを含み、該マークは前記情報トラックを螺旋状に包囲するように配置されていることを特徴とする３次元情報記録方法。
【請求項６】
光スポットを案内するための制御情報を記録した制御領域が情報トラックに沿って３次元的に所定間隔で複数配置され、前記情報トラックに沿って隣接する２つの制御領域の間の情報記録領域に設定された３次元格子の格子点に記録されたマークによって３次元的に情報が記録された３次元光ディスクから情報を再生する３次元情報再生方法であって、
前記制御情報を第１波長のトラッキング用光スポットで再生し、当該再生情報を用いて前記トラッキング用光スポットを情報トラックに対して位置決めするステップと、
前記トラッキング用光スポットに対する相対位置関係が可変な第２波長の再生用光スポットを用いて前記情報記録領域から情報を再生するステップと
を有することを特徴とする３次元情報再生方法。
【請求項７】
請求項６記載の３次元情報再生方法において、前記再生用光スポットは１つの光スポットからなり、前記１つの光スポットを前記３次元格子の格子点上を走査することによって前記マークを再生することを特徴とする３次元情報再生方法。
【請求項８】
請求項６記載の３次元情報再生方法において、前記再生用光スポットは相対的な位置関係を固定して２次元的に配列された複数の光スポットからなり、前記複数の光スポットを前記３次元格子の格子点上を走査することによって前記マークを再生することを特徴とする３次元情報再生方法。
【請求項９】
請求項６記載の３次元情報再生方法において、前記制御領域は少なくとも一つのマークを含み、該マークは前記情報トラックを螺旋状に包囲するように配置されていることを特徴とする３次元情報再生方法。
【手続補正書】
【提出日】平成19年6月11日(2007.6.11)
【手続補正１】
【補正対象書類名】明細書
【補正対象項目名】００１１
【補正方法】変更
【補正の内容】
【００１１】
したがって、本発明は、特に固体高分子型燃料電池における使用に関して、使用状況や環境の変化によっても電極材に対する初期の接合状態（密着性）が低下しにくい電解質膜を提供するものである。本発明者らは、オレフィン系またはフッ素系高分子からなる高分子基材に、陽イオン交換基を含むグラフト鎖が付加された電解質膜において、その基材物性（熱変形温度および寸法変化率）を規定することにより、燃料電池として長期の使用を行っても特性を維持することのできる電解質膜を発明するに至った。
【手続補正２】
【補正対象書類名】明細書
【補正対象項目名】００３０
【補正方法】変更
【補正の内容】
【００３０】
また、本発明による電解質膜は、４０重量％メタノール水溶液を含浸することによる寸法変化率が４０％以下であることが好ましい。寸法変化率が４０％を超えると、電解質膜の軟化温度（針入温度）を規定することにより得られる電極との密着性を維持することが困難になるためである。この特性については、電解質膜のグラフト率、スルホン基をはじめとするイオン交換基の導入量、架橋度（架橋剤の添加量）などにより制御することができる。
【手続補正３】
【補正対象書類名】明細書
【補正対象項目名】００３５
【補正方法】変更
【補正の内容】
【００３５】
しかし、本発明の電解質膜は、軟化温度（針入温度）と寸法変化率を規定することにより電極に対する密着性を向上させているため、膨潤が非常に起き難く、メタノールの透過性を抑制する点でも効果を得ることができる。
【手続補正４】
【補正対象書類名】明細書
【補正対象項目名】００４１
【補正方法】変更
【補正の内容】
【００４１】
（比較例１）
電解質膜としてナフィオン１１２を使用した。
【手続補正５】
【補正対象書類名】明細書
【補正対象項目名】００４５
【補正方法】変更
【補正の内容】
【００４５】
Ｉｅｘ＝ｎ（酸基）ｏｂｓ／Ｗｄ
ｎ（酸基）ｏｂｓ：電解質膜の酸基モル量（ｍＭ）
Ｗｄ：電解質膜の乾燥重量（ｇ）
ここで、ｎ（酸基）ｏｂｓの測定は以下の手順で行った。すなわち、まず電解質膜を１Ｍ（１モル濃度）硫酸溶液中に５０℃で４時間浸漬し、完全に酸型とした。次いで、イオン交換水により膜を洗浄後、３ＭのＮａＣｌ水溶液中５０℃で４時間浸漬して−ＳＯ３Ｎａ型とし、置換されたプロトン（Ｈ＋）をＮａＯＨ水溶液で滴定して、酸基モル量を求めた。
（３）寸法変化率（Ｓ）
電解質膜を５０ｍｍ×５０ｍｍに裁断し、それを乾燥機中に放置し十分乾燥させた後の面積をＳ１、このサンプルを純水中に２４時間以上浸漬し、十分含水させた時点での面積をＳ２とし、これらの値をもとに、下式により寸法変化率Ｓを算出した。
【手続補正書】
【提出日】平成18年12月21日(2006.12.21)
【手続補正１】
【補正対象書類名】特許請求の範囲
【補正対象項目名】全文
【補正方法】変更
【補正の内容】
【特許請求の範囲】
【請求項１】
自動制御装置であって、
人体の部位における複数の血管パターンを読み取る血管パターン読取装置と、
血管パターンと、制御内容の少なくとも一部である制御情報とを関連付けて記憶する記憶部と、
読み取られた前記血管パターンに関連付けられている前記制御情報を、前記複数の血管パターンに関して各々取得し、それらの制御情報を組み合わせて、制御内容を決定する制御内容決定部と、
を備えた自動制御装置。
【請求項２】
請求項１記載の自動制御装置であって、
前記記憶部は、前記血管パターンが読み取られる順番と、前記血管パターンと、前記制御情報とを関連付けて記憶しており、
前記制御内容決定部は、前記血管パターンと、前記血管パターンが読み取られた順番とに関連付けられた前記制御情報を取得し、制御内容を決定する、
自動制御装置。
【請求項３】
請求項１または２記載の自動制御装置であって、更に、
読み取られた前記複数の血管パターンのうち少なくとも１つが、前記記憶部に記憶されている前記血管パターンと一致するか否かにより認証の正否を決定する認証部、
を備えた自動制御装置。
【請求項４】
請求項３記載の自動制御装置であって、
前記記憶部は、前記制御情報と関連付けられていない血管パターンも記憶しており、
前記認証部は、読み取られた前記複数の血管パターンのうち少なくとも１つが、前記制御情報と関連付けられていない血管パターンも含めた前記記憶部に記憶されている血管パターンと一致するか否かにより認証の正否を決定する、
自動制御装置。
【請求項５】
請求項１ないし４のいずれかに記載の自動制御装置であって、更に、
前記血管パターンと前記制御情報とを関連付けて記憶する携帯可能な記憶媒体から、その記憶内容を読み取る記憶内容読取装置を備え、
前記記憶部は、前記記憶内容読取装置が読み取った記憶内容を記憶する、
自動制御装置。
【請求項６】
請求項１ないし５のいずれかに記載の自動制御装置であって、
前記制御内容決定部は、前記血管パターン読取装置が血管パターンを読み取った後、所定時間、前記血管パターン読取装置が血管パターンを読み取らない場合は、それまでに読み取られた前記血管パターンと一致する血管パターンに関連付けられている前記制御情報に基づいて、制御内容を決定する、
自動制御装置。
【請求項７】
請求項１ないし６のいずれかに記載の自動制御装置であって、更に、
制御内容の少なくとも一部を示す補足情報を入力するための補足情報入力装置を備え、
前記制御内容決定部は、前記制御情報の組み合わせと、前記補足情報とに基づいて制御内容を決定する、
自動制御装置。
【請求項８】
請求項１ないし７のいずれかに記載の自動制御装置であって、
前記記憶部は、更に、前記人体の部位と前記制御情報とを関連付けて記憶しており、
前記自動制御装置は、更に、前記自動制御装置の利用者が前記血管パターンを読み取らせる際の指標として、前記記憶部が記憶している前記人体の部位と前記制御情報との関連付けを表示する表示部、
を備えた自動制御装置。
【請求項９】
自動制御方法であって、
血管パターンと、制御内容の少なくとも一部である制御情報とを関連付けて予め設定する設定工程と、
複数の血管パターンを読み取る血管パターン読取工程と、
読み取られた前記血管パターンに関連付けられている前記制御情報を、前記複数の血管パターンに関して各々取得し、それらの制御情報を組み合わせて、制御内容を決定する制御内容決定工程と、
を備えた自動制御方法。
【請求項１０】
利用者との間で金銭に関する取引を行う取引装置であって、
前記利用者の複数の指毎に該複数の指についての生体情報を前記取引の内容を示す取引情報に対応付けた取引情報テーブルを記憶する記憶部と、
前記利用者によって提示された指についての生体情報を該利用者の指から読み取る読取部と、
前記取引情報テーブルに記憶された生体情報のうち、前記提示された指から読み取られた生体情報と一致する生体情報を特定する照合部と、
前記一致する生体情報が特定された場合、前記取引情報テーブルによって前記特定された生体情報に対応付けられた取引情報に基づいて前記取引の内容を決定する決定部と
を備える取引装置。
【請求項１１】
請求項１０記載の取引装置であって、
前記取引情報テーブルは、
前記利用者の複数の指毎に該複数の指についての生体情報を第１の取引情報に対応付けた第１の取引情報テーブルと、
前記利用者の複数の指毎に該複数の指についての生体情報を前記第１の取引情報を補足する第２の取引情報に対応付けた第２の取引情報テーブルと
を含み、
前記読取部は、
前記利用者によって提示された第１の指についての第１の生体情報を該利用者の指から読み取る第１の読取部と、
前記利用者によって提示された第２の指についての第２の生体情報を該利用者の指から読み取る第２の読取部と
を含み、
前記照合部は、
前記第１の取引情報テーブルに記憶された生体情報のうち、前記提示された第１の指から読み取られた第１の生体情報と一致する生体情報を特定する第１の照合部と、
前記第２の取引情報テーブルに記憶された生体情報のうち、前記提示された第２の指から読み取られた第２の生体情報と一致する生体情報を特定する第２の照合部と
を含み、
前記決定部は、前記第１の取引情報テーブルによって前記特定された第１の生体情報に対応付けられた第１の取引情報に加え、前記第２の取引情報テーブルによって前記特定された第２の生体情報に対応付けられた第２の取引情報に基づいて、前記取引の内容を決定する取引装置。
【請求項１２】
請求項１１記載の取引装置であって、
前記第１の取引情報テーブルに対応付けられた第１の取引情報は、前記取引の種類を示す情報を含み、
前記第２の取引情報テーブルに対応付けられた第２の取引情報は、前記第１の取引情報によって示される種類の取引で取り扱われる取引金額を示す情報を含む取引装置。
【請求項１３】
請求項１０記載の取引装置であって、
前記取引情報テーブルは、前記利用者の指についての生体情報を該指の種類を示す指種類情報に対応付けた指情報テーブルを含み、
前記取引情報は、前記指情報テーブルの前記指種類情報に対応付けられることによって、前記生体情報に間接的に対応付けられた取引装置。
【手続補正書】
【提出日】平成19年8月2日(2007.8.2)
【手続補正１】
【補正対象書類名】明細書
【補正対象項目名】００２９
【補正方法】変更
【補正の内容】
【００２９】
換言すれば、停電検出時には、コントローラ２４は、固定サイクル中でのシーケンス進行状況より判断して、最小限のエネルギでワーク１２に損傷を与えずに安全な位置へ退避する最適な「停電時停止シーケンス」を選定する。そして、再開時には、コントローラ２４は、その停止シーケンスに対応した再開シーケンスを実行するように切削加工機を制御する。また、タップ切込み中に停電した場合には、コントローラ２４は、タップ引上げの速度（主軸モータ３２の主軸回転数）を低くするように制御する。これにより、コンデンサ１８の電圧降下を抑えてより低い電圧で動作できるようにする。その結果として、停電時に動作できる条件を広くしている。
【手続補正２】
【補正対象書類名】明細書
【補正対象項目名】００３８
【補正方法】変更
【補正の内容】
【００３８】
図４（Ｃ）に示されるように、減速時は主軸モータ３２の運動エネルギは、電気エネルギに変換され、コンデンサ１８に回生エネルギとして戻される。タッピング中、主軸モータ３２以外のモータの運動エネルギは小さいため、無視することができる。
【手続補正３】
【補正対象書類名】明細書
【補正対象項目名】００６１
【補正方法】変更
【補正の内容】
【００６１】
装置仕様は次の通りである。モータサイズは、Ｘ軸、Ｙ軸、Ｚ軸とも１ｋＷであり、主軸モータ３２は３ｋＷである。主軸モータ３２をＳ軸と呼ぶ。Ｓ軸定格回転数は６０００ｒｐｍである。Ｓ軸誘起電圧定数（端子間）は２４ｍＶ（ｒｍｓ）／分である。Ｓ軸定格電流は１５Ａ（ｒｍｓ）である。タップ中の電流は５Ａ（ｒｍｓ）とする。Ｓ軸電機子抵抗（端子間）Ｒは１．０Ωである。Ｓ軸電機子インダクタンス（端子間）Ｌは１．０ｍＨである。Ｓ軸イナーシャは３０×１０−４ｋｇ・ｍ２である。ボール数は４である。
【手続補正書】
【提出日】平成19年11月13日(2007.11.13)
【手続補正１】
【補正対象書類名】特許請求の範囲
【補正対象項目名】全文
【補正方法】変更
【補正の内容】
【特許請求の範囲】
【請求項１】
１種類以上の波長のレーザ光を出射する光源、コリメータレンズまたはエキスパンダレンズ、および対物レンズを少なくとも有する第１および第２の光学系と、
前記第１および第２の光学系の、前記コリメータレンズまたはエキスパンダレンズを光軸方向に移動させる移動手段と
を備えることを特徴とする光ピックアップ装置。
【請求項２】
前記第１の光学系の前記コリメータレンズまたはエキスパンダレンズ、前記第２の光学系の前記コリメータレンズまたはエキスパンダレンズ、および前記移動手段のうちの、いずれか２つがフォーカス方向の上下に並べて配置され、残りの１つが上下に並べて配置された前記２つの中間の高さであって前記２つの隣の位置に段違いに配置されている
ことを特徴とする請求項１に記載の光ピックアップ装置。
【請求項３】
前記第１および第２の光学系の、前記コリメータレンズまたはエキスパンダレンズは、球面収差を補正するように、前記移動手段により光軸方向に移動される
ことを特徴とする請求項１に記載の光ピックアップ装置。
【請求項４】
１種類以上の波長のレーザ光を出射する光源、コリメータレンズまたはエキスパンダレンズ、および対物レンズを少なくとも有する第１および第２の光学系の、前記コリメータレンズまたはエキスパンダレンズを光軸方向に移動させる
ことを特徴とする光ピックアップ装置の制御方法。
【請求項５】
１種類以上の波長のレーザ光を出射する光源、コリメータレンズまたはエキスパンダレンズ、および対物レンズを少なくとも有する第１および第２の光学系と、
前記第１および第２の光学系の、前記コリメータレンズまたはエキスパンダレンズを光軸方向に移動させる移動手段と
を有する光ピックアップ
を備えることを特徴とするディスク装置。
【手続補正２】
【補正対象書類名】明細書
【補正対象項目名】発明の名称
【補正方法】変更
【補正の内容】
【発明の名称】光ピックアップ装置、光ピックアップ装置の制御方法、およびディスク装置
【手続補正３】
【補正対象書類名】明細書
【補正対象項目名】０００１
【補正方法】変更
【補正の内容】
【０００１】
本発明は、光ピックアップ装置、光ピックアップ装置の制御方法、およびディスク装置に関し、特に、球面収差補正が必要な２つの光学系を有する光ピックアップ装置を小型化することができるようにする光ピックアップ装置、光ピックアップ装置の制御方法、およびディスク装置に関する。
【手続補正４】
【補正対象書類名】明細書
【補正対象項目名】００１６
【補正方法】変更
【補正の内容】
【００１６】
本発明の光ピックアップ装置の制御方法は、１種類以上の波長のレーザ光を出射する光源、コリメータレンズまたはエキスパンダレンズ、および対物レンズを少なくとも有する第１および第２の光学系の、コリメータレンズまたはエキスパンダレンズを光軸方向に移動させることを特徴とする。
本発明のディスク装置は、１種類以上の波長のレーザ光を出射する光源、コリメータレンズまたはエキスパンダレンズ、および対物レンズを少なくとも有する第１および第２の光学系と、第１および第２の光学系の、コリメータレンズまたはエキスパンダレンズを光軸方向に移動させる移動手段とを有する光ピックアップを備えることを特徴とする。
【手続補正書】
【提出日】平成19年6月19日(2007.6.19)
【手続補正１】
【補正対象書類名】特許請求の範囲
【補正対象項目名】全文
【補正方法】変更
【補正の内容】
【特許請求の範囲】
【請求項１】
被測定物である光ピックアップの検査のために、該光ピックアップのレーザを所望パターンの波形信号で制御し、該所望パターンの波形信号で制御したときの該光ピックアップの出力信号を計測し、該計測結果を分析することにより前記光ピックアップの検査結果を得ることを特徴とする光ピックアップ検査方法。
【請求項２】
半透過光学素子によって、前記光ピックアップから投射された光の一部を透過させてまた一部を反射させ、前記透過光を光検知器により検出し、該検出出力を分析することにより前記光ピックアップの検査結果を得ることを特徴とする請求項１に記載の光ピックアップ検査方法。
【請求項３】
半透過型回折格子によって透過されるとともに回折されたシェアリング干渉光を、集光レンズによって集光し、前記集光レンズで集光された光を受像することを特徴とする請求項１に記載の光ピックアップ検査方法。
【請求項４】
前記受像体で受像したシェアリング干渉光の干渉像に基づいて検出されたデフォーカス成分に基づいて、前記回折格子、または前記回折格子と前記集光レンズを、回折格子の法線方向に移動させることを特徴とする請求項３に記載の光ピックアップ検査方法。
【請求項５】
前記受像体で受像したシェアリング干渉光の干渉縞に基づいて検出されたオフトラック成分に基づいて、前記回折格子を溝横断方向に移動させることを特徴とする請求項３に記載の光ピックアップ検査方法。
【請求項６】
前記所望パターンの波形信号が周波数スイープ信号であり、前記光検知器により検出された前記透過光信号および、前記光ピックアップ出力信号の、振幅や位相遅延の周波数特性を検査することを特徴とする、請求項２に記載の光ピックアップ検査方法。
【請求項７】
前記光検知器により検出された前記透過光信号と、前記光ピックアップ出力信号とを比較することにより、前記光ピックアップの発光性能と分離して受光性能を評価することを特徴とする、請求項２に記載の光ピックアップ検査方法。
【請求項８】
被測定物である光ピックアップの検査のために、必要な所望パターンの波形信号を発生するパターン発生器と、該所望パターンの波形信号で前記光ピックアップのレーザを制御するレーザ発光制御部と、該所望のパターンで制御したときの該光ピックアップの出力信号を計測する計測機構と、該計測結果を分析することにより前記光ピックアップの検査結果を得る特性分析部とを有することを特徴とする光ピックアップ検査装置。
【請求項９】
前記光ピックアップから投射された光の一部を透過させまた一部を反射させる半透過光学素子と、前記透過光を検出する光検知器と、該光検知器からの検出出力を分析することにより前記光ピックアップの検査結果を得るレーザ特性分析部とを有することを特徴とする請求項８に記載の光ピックアップ検査装置。
【請求項１０】
半透過型回折格子によって透過されるとともに回折されたシェアリング干渉光を集光する集光レンズと、前記集光レンズで集光された光を受像する受像体を有することを特徴とする請求項８に記載の光ピックアップ検査装置。
【請求項１１】
前記受像体で受像したシェアリング干渉光の干渉像に基づいて前記処理装置で検出したデフォーカス成分に基づいて、前記回折格子、または前記回折格子と前記集光レンズを、回折格子の法線方向に移動させる移動機構を有することを特徴とする請求項１０に記載の光ピックアップ検査装置。
【請求項１２】
前記受像体で受像したシェアリング干渉光の干渉縞に基づいて前記処理装置で検出したオフトラック成分に基づいて、前記回折格子を溝横断方向に移動させる移動機構を有することを特徴とする請求項１０に記載の光ピックアップ検査装置。
【請求項１３】
前記所望パターンの波形信号が周波数スイープ信号であり、前記光検知器により検出された前記透過光信号および、前記光ピックアップ出力信号の、振幅や位相遅延の周波数特性を検査することを特徴とする、請求項９に記載の光ピックアップ検査装置。
【請求項１４】
前記光検知器により検出された前記透過光信号と、前記光ピックアップ出力信号とを比較することにより、前記光ピックアップの発光性能と分離して受光性能を評価することを特徴とする、請求項９に記載の光ピックアップ検査装置。
【手続補正書】
【提出日】平成19年10月26日(2007.10.26)
【手続補正１】
【補正対象書類名】明細書
【補正対象項目名】０００８
【補正方法】変更
【補正の内容】
【０００８】
本発明の光学表面膜の除去方法は、化学的な薬液浸漬処理と機械的な研磨処理を併用して表面膜を除去するものである。薬液浸漬処理によってプラスチック光学素子の光学面が浸食される前に表面膜が残っている状態で薬液処理を止め、薬液処理により軟化し残存している表面膜は研磨処理で容易に擦り落として除去できる。これによって、薬液浸漬処理だけの場合のプラスチック光学素子の光学面に対する浸食を防止しながら短時間で表面膜を完全に除去することが可能になった。更に、反射光または透過光によりプラスチック光学素子の表面を観察することにより、プラスチック光学素子の表面状態が、光学面の一部が露出した状態であるかについて確認することができる。
【手続補正２】
【補正対象書類名】明細書
【補正対象項目名】００２９
【補正方法】変更
【補正の内容】
【００２９】
浸漬工程後のプラスチック光学素子の光学面に残存している表面膜は、薬液である程度
剥離され硬度が低下しているが、容易に剥離する状態ではなく、次の研磨処理工
程において研磨剤で擦り落とすことによって除去できる程度の硬度である。浸漬工程を経
ずに研磨処理工程だけで表面膜を擦り落とそうとすると、膨大な時間が必要になり、現実
的でないと共に、累進屈折面のような複雑な曲面を有する場合には均一な研磨が困難であ
り、プラスチック光学素子の光学面の再生ができなくなるおそれがある。
【手続補正書】
【提出日】平成19年10月15日(2007.10.15)
【手続補正１】
【補正対象書類名】特許請求の範囲
【補正対象項目名】全文
【補正方法】変更
【補正の内容】
【特許請求の範囲】
【請求項１】
光源からの光を偏向走査する光偏向器であって、
前記光偏向器は、支持体と振動系と該振動系を駆動する駆動手段とで構成され、
前記振動系は、第１揺動可動子と、光偏向体を有する第２揺動可動子とを有し、
前記第１揺動可動子は、前記第２揺動可動子を挟んで対向した複数のねじりバネで、該第２揺動可動子をねじり軸を中心にねじり振動可能に支持し、
前記支持体は、１本のねじりバネのみで前記第１揺動可動子を前記ねじり軸と同一の軸を中心にねじり振動可能に支持し、
前記振動系は、前記ねじり軸まわりに、周波数が異なる少なくとも２つの固有振動モードを有し、
前記駆動手段は、前記振動系を少なくとも２つの前記固有振動モードで同時にねじり振動させることを特徴とする光偏向器。
【請求項２】
前記振動系は２つの異なる周波数の前記固有振動モードを有し、一方の周波数が他方の周波数の略２倍であることを特徴とする請求項１に記載の光偏向器。
【請求項３】
前記振動系は２つの異なる周波数の前記固有振動モードを有し、一方の周波数が他方の周波数の略３倍であることを特徴とする請求項１に記載の光偏向器。
【請求項４】
光源と、請求項１乃至３の何れか１項に記載の光偏向器と、感光体とを有し、該光偏向器は、前記光源からの光を前記光偏向器により偏向し、該光の少なくとも一部を前記感光体上に入射する画像形成装置。
【請求項５】
光源と、請求項１乃至３の何れか１項に記載の光偏向器とを有し、該光偏向器は、前記光源からの光を前記光偏向器により偏向し、該光の少なくとも一部を画像表示体上に投影することを特徴とする画像表示装置。
【手続補正２】
【補正対象書類名】明細書
【補正対象項目名】００１０
【補正方法】変更
【補正の内容】
【００１０】
本発明の光偏向器は、光源からの光を偏向走査する光偏向器であって、前記光偏向器は、支持体と振動系と該振動系を駆動する駆動手段とで構成され、前記振動系は、第１揺動可動子と、光偏向体を有する第２揺動可動子とを有し、前記第１揺動可動子は、前記第２揺動可動子を挟んで対向した複数のねじりバネで、該第２揺動可動子をねじり軸を中心にねじり振動可能に支持し、前記支持体は、１本のねじりバネのみで前記第１揺動可動子を前記ねじり軸と同一の軸を中心にねじり振動可能に支持し、前記振動系は、前記ねじり軸まわりに、周波数が異なる少なくとも２つの固有振動モードを有し、前記駆動手段は、前記振動系を少なくとも２つの前記固有振動モードで同時にねじり振動させることを特徴とする。
【手続補正書】
【提出日】平成18年12月20日(2006.12.20)
【手続補正１】
【補正対象書類名】明細書
【補正対象項目名】００２９
【補正方法】変更
【補正の内容】
【００２９】
音源１０２は、認識されるべき音声（目的音声）１２０を発話する話者１１６と、話者１１６の周囲において音の伝達に影響を及ぼす外乱要因１１８とを含む。前処理部１０４に到達する音１２２は、話者１１６の発話により発生した目的音声１２０ではなく、外乱要因１１８の影響を受けて変化した音となる。本明細書では、話者１１６の発話により発生する雑音のない目的音声１２０を、「クリーン音声」と呼ぶ。また、前処理部１０４により収録される音、すなわち外乱要因１１８の影響により変化した状態で前処理部１０４に到達する音１２２を「観測音」と呼ぶ。
【手続補正２】
【補正対象書類名】明細書
【補正対象項目名】００４６
【補正方法】変更
【補正の内容】
【００４６】
【数３】
2006243290.tif 000001
この式において、誤差行列Ｗt＝（ＷNt，ＷHt，ＷAt）を構成する、ベクトルＷNt、行列ＷHt、及び行列ＷAtはそれぞれ予測誤差であり、それぞれ平均０、共分散行列がΣWN、ΣWH、及びΣWAの単一正規分布で表現される確率分布にしたがう白色性ガウス雑音であるものとする。誤差を表す行列Ｗtは、次の式（４）のように単一正規分布にしたがう。
【手続補正３】
【補正対象書類名】明細書
【補正対象項目名】００５０
【補正方法】変更
【補正の内容】
【００５０】
外乱確率分布推定部２００は、外乱確率分布をフレームごとに逐次推定し、外乱確率分布を表すパラメータ２０６（以下、単に「推定外乱分布２０６」と呼ぶ。）を出力する機能を持つ。ここに、外乱を表す行列Λ0，…，Λtからなる行列の系列を系列Λ0:t＝｛Λ0，…，Λt｝とする。系列Λ0:tの事後確率分布ｐ（Λ0:t｜Ｘ0:t）は、１次マルコフ連鎖を用いて、次の式（５）のように表される。
【手続補正４】
【補正対象書類名】明細書
【補正対象項目名】００９３
【補正方法】変更
【補正の内容】
【００９３】
次に、外乱確率分布推定部２００による、第ｔフレーム（ｔ≧１）における推定外乱分布２０６の推定動作を説明する。図６を参照して、次のフレームの処理の開始要求２１０に応答して、フレーム選択部２２０は、観測信号の特徴量Ｘt（１２４）を更新部２３０に与えるとともに、ＧＭＭサンプリング部２２６に、第ｔフレームにおけるＧＭＭの出力パラメータのサンプリングを要求する。更新部２３０は、これに応答して、第ｔ−１フレームの各パーティクルにおける推定外乱分布２０６のパラメータを取得する。
【手続補正５】
【補正対象書類名】明細書
【補正対象項目名】０１０５
【補正方法】変更
【補正の内容】
【０１０５】
パーティクルフィルタを用いた外乱成分の抑圧処理を行なう際の、ＧＭＭ１３０（図２参照）には、混合分布数５１２のモデルを用いた。この処理においては、誤差ベクトルＷtの共分散行列を、ΣWN＝ΣWH＝ΣWA＝diag（0.01）に設定した。また、処理に用いるパーティクルの総数Ｊを２０に設定した。
【手続補正書】
【提出日】平成19年11月9日(2007.11.9)
【手続補正１】
【補正対象書類名】明細書
【補正対象項目名】００４９
【補正方法】変更
【補正の内容】
【００４９】
はじめに、実施の形態１において説明したものと同様の製造方法により製造された反射防止構造体６２を有する石英ガラスからなるレンズ原盤６１を準備した（図６（Ａ））。まず、石英ガラスからなるレンズ原盤６１は、導電性ではないので、増感処理を行った後、Ｐｄによる活性化処理を行った後、無電解メッキ用Ｎｉ／Ｂ溶液６３に浸漬して、反射防止構造体６２の表面に無電解メッキ層６４を形成した（図６（Ｂ））。石英ガラスからなるレンズ原盤６１の反射防止構造体６２に形成された無電解メッキ層６４は、４０ｎｍの厚みを有していた。
【手続補正２】
【補正対象書類名】明細書
【補正対象項目名】００５５
【補正方法】変更
【補正の内容】
【００５５】
図７（Ｂ）は、ガラス基板７４にプレス加工を行う状態を示す。図７（Ｂ）において、上型７２は下降して、ガラス基板７４を５９０℃、１０００Ｎの条件下で３分間プレス成形する。プレス加工が終了すると、冷却処理を行うことなく、図７（Ｃ）に示すように、上型７２を上昇させる。これにより、成形されたガラスレンズの表面には、上型７２に形成された反射防止構造体とは反転形状を有する反射防止構造体が形成される。
【手続補正書】
【提出日】平成19年2月1日(2007.2.1)
【手続補正１】
【補正対象書類名】特許請求の範囲
【補正対象項目名】請求項４
【補正方法】変更
【補正の内容】
【請求項４】
初期値設定因子ε（但し０＜εとする。）が記憶手段に記憶され、
スケールパラメータ初期値設定手段が、
初期値設定因子εと、ｎ個の時系列離散音響信号の値ｘ（ｋ）のうち、その二乗の値が最大となるときの値とに基づいて、スケールパラメータγの初期値γ０
【数４】
2006243676.tif 000001
を設定して出力するものである
ことを特徴とする請求項１から請求項３のいずれかに記載の音響信号分析装置。
【手続補正２】
【補正対象書類名】特許請求の範囲
【補正対象項目名】請求項８
【補正方法】変更
【補正の内容】
【請求項８】
スケールパラメータ初期値設定ステップが、
初期値設定因子ε（但し０＜εとする。）と、ｎ個の時系列離散音響信号の値ｘ（ｋ）のうち、その二乗の値が最大となるときの値とに基づいて、スケールパラメータγの初期値γ０
【数８】
2006243676.tif 000002
を設定して出力するものである
ことを特徴とする請求項５から請求項７のいずれかに記載の音響信号分析方法。
【手続補正３】
【補正対象書類名】特許請求の範囲
【補正対象項目名】請求項９
【補正方法】変更
【補正の内容】
【請求項９】
請求項１から請求項４のいずれかに記載された音響信号分析装置としてコンピュータを機能させるための音響信号分析プログラム。
【手続補正書】
【提出日】平成18年11月27日(2006.11.27)
【手続補正１】
【補正対象書類名】特許請求の範囲
【補正対象項目名】全文
【補正方法】変更
【補正の内容】
【特許請求の範囲】
【請求項１】
光学レンズ群と、該光学レンズ群における複数のレンズを所定の方向に移動させて焦点調節及び／または撮影倍率を変更するレンズ移動機構と、該レンズ移動機構を駆動する駆動源とを筐体に収容したカメラモジュールにおいて、
前記筐体は、第一の切り欠き部が形成され、前記光学レンズ群と前記レンズ移動機構を収容する第一のハウジングと、第二の切り欠き部が形成され、前記駆動源を収容する第二のハウジングとを合体して形成された筐体であって、
前記合体時に前記第一の切り欠き部と第二の切り欠き部で開口部が形成され、該開口部を覆う遮蔽板を備えたことを特徴とするカメラモジュール。
【請求項２】
前記第一のハウジングは、一側が開放され、その他側ベース部に設けたレンズ群の組立基準面を用いて前記光学レンズ群と前記レンズ移動機構を取り付け、前記光学レンズ群の収容側側壁の一部を厚肉とし、前記光学レンズ群の移動をガイドするガイド軸をハウジング外縁部に近接させて設け、且つ前記ガイド軸側側壁に第一の切り欠き部を形成し、
前記第二のハウジングは、側壁部に形成された切り欠き部を利用して駆動源を固定したことを特徴とする請求項１に記載したカメラモジュール。
【請求項３】
前記第一のハウジングは、前記レンズ移動機構を構成する円筒カムを外縁部に近接して設け、前記円筒カム側側壁に第一の切り欠き部を形成したことを特徴とする請求項１に記載したカメラモジュール。
【請求項４】
前記第一のハウジングは、第三の切り欠き部を形成し、前記光学レンズを保持するレンズホルダと、前記第一の切り欠き部側外縁部に配置された前記レンズホルダの移動をガイドするガイド軸と、前記第三の切り欠き部側外縁部で且つ前記レンズホルダ外周に近接して配置された前記レンズホルダを光軸方向に移動させる円筒カムとを収容し、
前記第二のハウジングは、第四の切り欠き部を形成し、
前記合体時に前記第三の切り欠き部と第四の切り欠き部で開口部が形成され、該開口部を覆う遮蔽板を備えたことを特徴とする請求項１乃至３のいずれかに記載したカメラモジュール。
【請求項５】
前記ガイド軸を軸受けする軸受部と前記円筒カムの軸を軸受けする軸受部とを前記第一のハウジングに一体成形にて配置したことを特徴とする請求項４に記載したカメラモジュール。
【請求項６】
前記レンズホルダをガイドする前記ガイド軸を、前記第一のハウジングの第一と第三の切り欠き部における厚肉とした側壁に近接して配置したことを特徴とする請求項４または５に記載したカメラモジュール。
【請求項７】
前記レンズホルダを光軸方向に移動させる円筒カムを、前記第三の切り欠き部に配置した前記ガイド軸に近接して配置したことを特徴とする請求項６に記載したカメラモジュール。
【請求項８】
前記第一のハウジングにおける第一と第三の切り欠き部、及び前記第二のハウジングにおける第二と第四の切り欠き部を遮蔽する遮蔽板の取付位置に対応して前記第一のハウジング及び第二のハウジングに設けた凹部を備えたことを特徴とする請求項４乃至７のいずれかに記載したカメラモジュール。
【請求項９】
前記円筒カムを駆動する前記駆動源を前記第一のハウジングの外縁近辺となるよう配置し、前記駆動源と前記円筒カムの間に前記駆動源からの駆動力を前記円筒カムに伝えるギア群を配したことを特徴とする請求項４乃至８のいずれかに記載したカメラモジュール。
【請求項１０】
前記第一の切り欠き部に遮蔽板を取り付ける前には、レンズ移動機構が露出するように前記第一の切り欠き部の開口位置が設定されていることを特徴とする請求項４乃至９のいずれかに記載したカメラモジュール。
【手続補正２】
【補正対象書類名】明細書
【補正対象項目名】００１４
【補正方法】変更
【補正の内容】
【００１４】
上記課題を解決するため本発明におけるカメラモジュールは、光学レンズ群と、該光学
レンズ群における複数のレンズを所定の方向に移動させて焦点調節及び／または撮影倍率
を変更するレンズ移動機構と、該レンズ移動機構を駆動する駆動源とを筐体に収容したカ
メラモジュールにおいて、前記筐体は、第一の切り欠き部が形成され、前記光学レンズ群
と前記レンズ移動機構を収容する第一のハウジングと、第二の切り欠き部が形成され、前
記駆動源を収容する第二のハウジングとを合体して形成された筐体であって、前記合体時
に前記第一の切り欠き部と第二の切り欠き部で開口部が形成され、該開口部を覆う遮蔽板を備えたことを特徴とする。
【手続補正３】
【補正対象書類名】明細書
【補正対象項目名】００１７
【補正方法】変更
【補正の内容】
【００１７】
好適には、前記第一のハウジングは、前記第三の切り欠き部を形成し、前記光学レンズ
を保持するレンズホルダと、前記第一の切り欠き部側外縁部に配置された前記レンズホル
ダの移動をガイドするガイド軸と、  第三の切り欠き部側外縁部で且つ前記レンズホルダ
外周に近接して配置された前記レンズホルダを光軸方向に移動させる円筒カムとを収容し
、前記第二のハウジングは、第四の切り欠き部を形成し、前記合体時に前記第三の切り欠
き部と第四の切り欠き部で開口部が形成され、該開口部を覆う遮蔽板を備えたことを特徴とする。
【手続補正書】
【提出日】平成19年7月11日(2007.7.11)
【手続補正１】
【補正対象書類名】特許請求の範囲
【補正対象項目名】全文
【補正方法】変更
【補正の内容】
【特許請求の範囲】
【請求項１】
入力音声信号のスペクトル包絡を抽出するステップと、
前記入力音声信号のスペクトル微細構造を抽出するステップと、
前記スペクトル包絡に対して反転軸を設定し、当該反転軸を中心として前記スペクトル包絡を反転させることにより前記スペクトル包絡に対し変形を施して変形スペクトル包絡を生成するステップと、
前記変形スペクトル包絡及び前記スペクトル微細構造を合成して変形スペクトルを生成するステップと、
前記変形スペクトルに基づいて出力音声信号を生成するステップとを具備することを特徴とする音声処理方法。
【請求項２】
入力音声信号のスペクトル包絡を抽出するステップと、
前記入力音声信号のスペクトル微細構造を抽出するステップと、
前記スペクトル包絡に対し変形を施して変形スペクトル包絡を生成するステップと、
前記変形スペクトル包絡及び前記スペクトル微細構造を合成して変形スペクトルを生成するステップと、
前記入力音声信号のスペクトルの高域成分を抽出するステップと、
抽出された前記高域成分によって前記変形スペクトルに含まれる高域成分を置換するステップと、
前記高域成分が置換された後の変形スペクトルに基づいて出力音声信号を生成するステップとを具備することを特徴とする音声処理方法。
【請求項３】
入力音声信号のスペクトル包絡を抽出するスペクトル包絡抽出部と、
前記入力音声信号のスペクトル微細構造を抽出するスペクトル微細構造抽出部と、
前記スペクトル包絡に対して反転軸を設定し、当該反転軸を中心として前記スペクトル包絡を反転させることにより前記スペクトル包絡に対し変形を施して変形スペクトル包絡を生成するスペクトル包絡変形部と、
前記変形スペクトル包絡及び前記スペクトル微細構造を合成して変形スペクトルを生成する変形スペクトル生成部と、
前記変形スペクトルに基づいて出力音声信号を生成する音声生成部とを具備することを特徴とする音声処理装置。
【請求項４】
入力音声信号のスペクトル包絡を抽出するスペクトル包絡抽出部と、
前記入力音声信号のスペクトル微細構造を抽出する微細構造抽出部と、
前記スペクトル包絡に対し変形を施して変形スペクトル包絡を生成するスペクトル包絡変形部と、
前記変形スペクトル包絡及び前記スペクトル微細構造を合成して変形スペクトルを生成する変形スペクトル生成部と、
前記入力音声信号のスペクトルの高域成分を抽出する高域成分抽出部と、
前記高域成分抽出部により抽出された高域成分によって前記変形スペクトルに含まれる高域成分を置換する高域成分置換部と、
前記高域成分が置換された後の変形スペクトルに基づいて出力音声信号を生成する音声生成部とを具備することを特徴とする音声処理装置。
【請求項５】
前記スペクトル包絡変形部は、前記スペクトル包絡に振幅方向及び周波数軸方向の少なくとも一方の方向について前記変形を施して前記変形スペクトル包絡を生成することを特徴とする請求項３または４のいずれか１項記載の音声処理装置。
【請求項６】
前記スペクトル包絡変形部は、前記スペクトル包絡の山及び谷の位置を変化させることにより前記変形を施して前記変形スペクトル包絡を生成することを特徴とする請求項３または４のいずれか１項記載の音声処理装置。
【請求項７】
前記スペクトル包絡変形部は、前記スペクトル包絡に対して反転軸を設定し、当該反転軸を中心として前記スペクトル包絡を反転させることにより前記変形を施して前記変形スペクトル包絡を生成することを特徴とする請求項４記載の音声処理装置。
【請求項８】
前記スペクトル包絡変形部は、前記スペクトル包絡を周波数軸上でシフトすることにより前記変形を施して前記変形スペクトル包絡を生成することを特徴とする請求項３または４のいずれか１項記載の音声処理装置。
【請求項９】
前記高域成分置換部は、前記高域成分抽出部により抽出された高域成分に対して置換帯域を設定し、前記置換帯域内の高域成分によって前記変形スペクトルに含まれる高域成分を置換することを特徴とする請求項４に記載の音声処理装置。
【請求項１０】
請求項３または４のいずれか１項に記載の音声処理装置と、
会話音声を集音して前記入力音声信号を得るマイクロフォンと、
前記出力音声信号に従って妨害音を放射するスピーカとを具備することを特徴とする音声システム。
【請求項１１】
入力音声信号のスペクトル包絡を抽出する処理と、
前記入力音声信号のスペクトル微細構造を抽出する処理と、
前記スペクトル包絡に対して反転軸を設定し、当該反転軸を中心として前記スペクトル包絡を反転させることにより前記スペクトル包絡に対し変形を施して変形スペクトル包絡を生成する処理と、
前記変形スペクトル包絡及び前記スペクトル微細構造を合成して変形スペクトルを生成する処理と、
前記変形スペクトルに基づいて出力音声信号を生成する処理とを含む音声処理をコンピュータに行わせるためのプログラム。
【請求項１２】
入力音声信号のスペクトル包絡を抽出する処理と、
前記入力音声信号のスペクトル微細構造を抽出する処理と、
前記スペクトル包絡に対し変形を施して変形スペクトル包絡を生成する処理と、
前記変形スペクトル包絡及び前記スペクトル微細構造を合成して変形スペクトルを生成する処理と、
前記入力音声信号のスペクトルの高域成分を抽出する処理と、
前記高域成分によって前記変形スペクトルに含まれる高域成分を置換する処理と、
前記高域成分が置換された後の変形スペクトルに基づいて出力音声を生成する処理とを含む音声処理をコンピュータに行わせるためのプログラム。
【手続補正書】
【提出日】平成18年12月21日(2006.12.21)
【手続補正１】
【補正対象書類名】明細書
【補正対象項目名】００５１
【補正方法】変更
【補正の内容】
【００５１】
マルチモーダルコーパス作成装置１０８はさらに、モーションキャプチャデータの入力を受けて、これを頭部全体の動きをキャンセルするように正規化し、顔の器官の変化を表す顔器官変化量データ２２０を出力するため正規化処理部１９０と、発話別収録データセット記憶部１８８内の発話別収録データセット２００Ａ，…，２００Ｌのいずれかを読出し、その中の発話別モーションキャプチャデータ２１２を正規化処理部１９０に入力し、これに応答して正規化処理部１９０により出力される顔器官変化量データ２２０で、発話別モーションキャプチャデータ２１２を置換して発話別データセット２０２Ａ，…，２０２Ｌ（以下これらをまとめて「発話別データセット２０２」と呼ぶことがある。）を生成し、マルチモーダルコーパス１０６（図１参照）に格納するための発話別データセット生成部１９２を含む。
【手続補正２】
【補正対象書類名】明細書
【補正対象項目名】００６５
【補正方法】変更
【補正の内容】
【００６５】
具体的には、選択マーカ検査部３１６は、仮想マーカ選択部３１４により選択された仮想マーカ（以下、「選択マーカ」と呼ぶ）が、この選択ノードに対応付ける仮想マーカとして適切であるために必要な条件を充足するかを検査する。条件が充足されなければ仮想マーカ選択部３１４に対し次にこのノードに近い仮想マーカを選択するように要求する。条件が充足されていればこの仮想マーカを当該ノードの対応マーカに指定する。さらに、対応マーカが１個指定されるたびに、対応マーカが３個選択されたかを検査し、３個に満たない場合には新たな仮想マーカを選択するように仮想マーカ選択部３１４に対し要求する。３個となれば、選択マーカ検査部３１６は、ノード選択部３１２に対する次の処理対象のノードの選択要求を発生する。
【手続補正書】
【提出日】平成19年8月1日(2007.8.1)
【手続補正１】
【補正対象書類名】明細書
【補正対象項目名】特許請求の範囲
【補正方法】変更
【補正の内容】
【特許請求の範囲】
【請求項１】
１）マメ科クララ（苦参）のエキスと２）紫外線防護剤を含有する化粧料であって、
前記紫外線防護剤が、ａ）無水珪酸被覆処理、ジメチルポリシロキサン焼き付け処理、ハイドロジェンメチルポリシロキサン焼き付け処理、シリルカップリング処理、パーフルオロ燐酸塩による処理、燐酸塩による処理、及び金属石鹸による処理の何れかの表面処理が施された二酸化チタン及び酸化亜鉛から選ばれる１種又は２種以上の隠蔽性粉体類、及び／又はｂ）桂皮酸及びそのエステル、ｐ−ジメチルアミノ安息香酸及びそのエステル、スリソベンゾン及びその塩、並びにアセチルアセトンから選ばれる１種又は２種以上の有機紫外線吸収剤である、化粧料。
【請求項２】
マメ科クララのエキスが、アルコール抽出物であることを特徴とする、請求項１に記載の化粧料。
【請求項３】
マメ科クララのエキスの含有量が０．０１〜１０重量％であることを特徴とする、請求項１又は２に記載の化粧料。
【請求項４】
前記紫外線防護剤が、前記隠蔽性粉体類を含み、かつ該隠蔽性粉体類の含有量が、１〜３０重量％であることを特徴とする、請求項１〜３の何れか一項に記載の化粧料。
【請求項５】
前記紫外線防護剤が、前記有機紫外線吸収剤を含み、かつ該有機紫外線吸収剤の含有量が、０．１〜１５重量％であることを特徴とする、請求項１〜４の何れか一項に記載の化粧料。
【請求項６】
日焼け防止用であることを特徴とする、請求項１〜５の何れか一項に記載の化粧料。
【手続補正２】
【補正対象書類名】明細書
【補正対象項目名】０００５
【補正方法】変更
【補正の内容】
【０００５】
【課題を解決するための手段】
この様な状況に鑑みて、本発明者らは紫外線防護剤の効果を更に高め、色素沈着や炎症
が生じることを防ぐ手段を求めて、鋭意研究努力を重ねた結果、アルニカ（Arnica Montana L）、ハマメリス（Hamamelis virginiana）及びマメ科クララ（苦参；クジン）等のエキスからなるα−ＭＳＨ阻害剤と紫外線防護剤とを組み合わせることにより、この様な技術が可能であることを見いだし、発明を完成させるに至った。即ち、本発明は、以下に示す技術に関するものである。
（１）  １）マメ科クララ（苦参）のエキスと２）紫外線防護剤を含有する化粧料であって、前記紫外線防護剤が、ａ）無水珪酸被覆処理、ジメチルポリシロキサン焼き付け処理、ハイドロジェンメチルポリシロキサン焼き付け処理、シリルカップリング処理、パーフルオロ燐酸塩による処理、燐酸塩による処理、及び金属石鹸による処理の何れかの表面処理が施された二酸化チタン及び酸化亜鉛から選ばれる１種又は２種以上の隠蔽性粉体類、及び／又はｂ）桂皮酸及びそのエステル、ｐ−ジメチルアミノ安息香酸及びそのエステル、スリソベンゾン及びその塩、並びにアセチルアセトンから選ばれる１種又は２種以上の有機紫外線吸収剤である、化粧料。
（２）  マメ科クララのエキスが、アルコール抽出物であることを特徴とする、（１）に記載の化粧料。
（３）  マメ科クララのエキスの含有量が０．０１〜１０重量％であることを特徴とする、（１）又は（２）に記載の化粧料。
（４）  前記紫外線防護剤が、前記隠蔽性粉体類を含み、かつ該隠蔽性粉体類の含有量が、１〜３０重量％であることを特徴とする、（１）〜（３）の何れかに記載の化粧料。
（５）  前記紫外線防護剤が、前記有機紫外線吸収剤を含み、かつ該有機紫外線吸収剤の含有量が、０．１〜１５重量％であることを特徴とする、（１）〜（４）の何れかに記載の化粧料。
（６）  日焼け防止用であることを特徴とする、（１）〜（５）の何れかに記載の化粧料。
【手続補正３】
【補正対象書類名】明細書
【補正対象項目名】００１５
【補正方法】変更
【補正の内容】
【００１５】
＜実施例２、参考例１〜２＞
実施例１のクララのエタノール抽出物の溶媒除去物を、表２に示すα−ＭＳＨ阻害剤に換えて乳液を作製した。これらの乳液について、実施例１と同様の検討（ただし、色素沈着のみ）を行った。結果を表２に示す。これより、実施例２の乳液は、実施例１の乳液と同様の効果を有することがわかった。
【手続補正４】
【補正対象書類名】明細書
【補正対象項目名】００１７
【補正方法】変更
【補正の内容】
【００１７】
【表２】
2003306418.tif 000001
【手続補正５】
【補正対象書類名】明細書
【補正対象項目名】００１８
【補正方法】変更
【補正の内容】
【００１８】
＜実施例３〜４、参考例３〜４＞
実施例１のステアリン酸アルミ５％被覆二酸化チタンを、表３に示す紫外線防護剤に換えて乳液を作製した。これらの乳液について、実施例２と同様に検討を行った。結果を表３に示す。これより、他の紫外線防護剤を用いても同様の効果が得られたことがわかる。
【手続補正６】
【補正対象書類名】明細書
【補正対象項目名】００２０
【補正方法】変更
【補正の内容】
【００２０】
【表３】
2003306418.tif 000002
【手続補正７】
【補正対象書類名】明細書
【補正対象項目名】００２１
【補正方法】変更
【補正の内容】
【００２１】
＜実施例５＞
下記に示す処方に従って、ファンデーションを作製した。即ち、処方成分を９０℃で混練りし、金型に詰め、９０℃で加圧プレスし、ファンデーションを得た。このものは優れた日焼け防止効果を有していた。
ハイドロジェンメチルポリシロキサン焼付二酸化チタン   ２０重量部
ハイドロジェンメチルポリシロキサン焼付酸化鉄           ４重量部
ハイドロジェンメチルポリシロキサン焼付タルク         ２０重量部
ハイドロジェンメチルポリシロキサン焼付セリサイト     １６重量部
クララの根部の１，３−ブタンジオール抽出物             ３重量部
ソルビタンモノオレート                                 １重量部
ｐ−ジメチルアミノ安息香酸イソオクチル                 １重量部
カルナウバワックス                                     ５重量部
マイクロクリスタリンワックス                           ３重量部
モクロウ                                               ３重量部
水添牛脂                                               ４重量部
スクワラン                                           ２０重量部
【手続補正書】
【提出日】平成19年11月1日(2007.11.1)
【手続補正１】
【補正対象書類名】特許請求の範囲
【補正対象項目名】全文
【補正方法】変更
【補正の内容】
【特許請求の範囲】
【請求項１】
被加工物（６）から金属を除去するための金属加工装置であって、
１）被加工物のためのホルダーと、
２）加工界面（１９）に沿って前記被加工物（６）と係合して前記被加工物から金属を除去するように構成された金属加工工具（２）と、
３）入口（２８）及び出口（２９）を有する流路（２７）と該流路出口（２９）の見通し線を有するレーザ穿孔（２２）とを備えたノズル本体（２１）を含む、冷却剤流体の流れ（１８）を放出するための冷却剤ノズル（２０）と、
４）前記金属加工工具（２）に対して前記ノズルを目視的に位置決めするために前記ノズル本体（２１）と協働することによって前記冷却剤流体の放出された流れ（１８）を前記加工界面（１９）へ配向することができる、前記レーザ穿孔（２２）内に着脱自在に挿入された可視光レーザ（４０）と、
を含む金属加工装置。
【請求項２】
前記加工界面（１９）が加工基準点（１５）を含み、前記流路出口（２９）が流れ基準点（２５）を有し、レーザから放出される可視レーザ光線を前記流れ基準点（２５）と前記加工基準点（１５）とを通るライン（２３）に沿って位置合わせすることによって前記冷却剤ノズル（２０）を位置決めすることができることを特徴とする請求項１に記載の金属加工装置。
【請求項３】
前記冷却剤ノズル（２０）が、前記可視光レーザ（４０）を除去して着脱自在プラグ（５０）を前記レーザ穿孔（２２）内に挿入するように構成されていることを特徴とする請求項１に記載の金属加工装置。
【請求項４】
前記着脱自在プラグ（５０）が、表面（５６）を有する遠位端（５２）を有し、前記表面が前記ノズル本体（２１）内に前記レーザ穿孔（２２）が形成された時に除去された前記流路（２７）の内表面形状に類似することを特徴とする請求項３に記載の金属加工装置。
【請求項５】
加工界面（１９）において被加工物（６）から金属を除去するための加工装置（２）に冷却剤流体を供給する際に使用するレーザ目標設定冷却剤ノズル（２０）であって、
１）入口（２８）及び出口（２９）を有する流路（２７）と、ノズル本体（２１）の外側表面にアクセス孔（２４）を形成し且つ前記流路出口（２９）の見通し線を有するレーザ穿孔（２２）とを備えた冷却剤ノズル本体（２１）と、
２）前記加工装置（２）に対して前記冷却剤ノズル（２０）を目視的に位置決めするために前記ノズル本体（２１）と協働することによって、冷却剤流体の流れ（１８）を前記加工界面（１９）へ配向することができる、前記レーザ穿孔（２２）内に着脱自在に挿入された可視光レーザ（４０）と、
を含むレーザ目標設定冷却剤ノズル（２０）。
【請求項６】
前記レーザ穿孔（２２）が前記流路（２７）と流体連通していることを特徴とする請求項５に記載のレーザ目標設定冷却剤ノズル（２０）。
【請求項７】
前記冷却剤ノズルが更に、前記流路（２７）との流体連通から前記アクセス孔（２４）を密閉するために、前記レーザの代わりに前記レーザ穿孔（２２）内に挿入することができる着脱自在プラグ（５０）を備えていることを特徴とする請求項５に記載のレーザ目標設定冷却剤ノズル（２０）。